【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
映像をコード化する方法であって、
ａ）映像をデインターリーブして複数の映像サブセットを形成するステップ、
ｂ）該複数の映像サブセットを複数のトランスフォーム係数にトランスフォームするステップ、
ｃ）該複数のトランスフォーム係数を複数のサンプルに変換するステップ、および、
ｄ）該複数のサンプルのエントロピー符号化を行なって、符号化されたビットストリームを形成するステップ、を含み、
前記ステップｃ）は、
（ｉ）該複数のトランスフォーム係数を量子化して複数の量子化値を形成するステップと、
（ｉｉ）該複数の量子化値にＤＣおよびＡＣ係数予測を行って複数の予測値を形成するステップと、
（ｉｉｉ）該複数の予測値と該複数の量子化値との差を求めて、複数の差値を形成するステップと、
（ｉｖ）該複数の差値を走査して該複数のサンプルを形成するステップと、を含む方法。
【請求項２】
映像をコード化する方法であって、
ａ）映像をデインターリーブして複数の映像サブセットを形成するステップ、
ｂ）該複数の映像サブセットを複数のトランスフォーム係数にトランスフォームするステップ、
ｃ）該複数のトランスフォーム係数を複数のサンプルに変換するステップ、および、
ｄ）該複数のサンプルのエントロピー符号化を行なって、符号化されたビットストリームを形成するステップ、を含み、
前記ステップａ）は、
（ｉ）該映像を複数のセグメントに分割するステップと、
（ｉｉ）該複数のセグメントのうちデインターリーブに値するセグメントを特定するステップと、
（ｉｉｉ）該ステップａ）（ｉｉ）でデインターリーブに値すると特定されたセグメントだけをデインターリーブするステップと、を含む方法。
【請求項３】
符号化された映像を表すビットストリームを復号する方法であって、
ａ）該ビットストリームのエントロピー復号化を行なって複数のサンプルを形成するステップ、
ｂ）該複数のサンプルを複数のトランスフォーム係数に変換するステップ、
ｃ）該複数のトランスフォーム係数に逆トランスフォームを行なって複数の映像サブセットを形成するステップ、および、
ｄ）該複数の映像サブセットをリインターリーブして該映像を形成するステップ、を含み、
前記ステップｂ）は、
（ｉ）該複数のサンプルに逆走査を行なって複数の差値を形成するステップと、
（ｉｉ）該複数の差値を複数の予測値に加算して複数の量子化値を形成するステップと、
（ｉｉｉ）該複数の量子化値にＤＣおよびＡＣ係数予測を行なって該複数の予測値を形成するステップと、
（ｉｖ）該複数の量子化値に逆量子化を行なって該複数のトランスフォーム係数を形成するステップと、を含む方法。
【請求項４】
映像を圧縮および復元する方法であって、
ａ）該映像を圧縮するステップ、および
ｂ）該映像を復元するステップ、を含み、
前記ステップａ）は、
（ｉ）該映像をデインターリーブして第１の複数の映像サブセットを形成するサブステップと、
（ｉｉ）該第１の複数の映像サブセットを第１の複数のトランスフォーム係数にトランスフォームするサブステップと、
（ｉｉｉ）該第１の複数のトランスフォーム係数を第１の複数のサンプルに変換するサブステップと、
（ｉｖ）該第１の複数のサンプルのエントロピー符号化を行って、符号化されたビットストリームを形成するサブステップと、を含み、
前記ステップｂ）は、
（ｉ）該符号化されたビットストリームのエントロピー復号化を行って第２の複数のサンプルを形成するサブステップと、
（ｉｉ）該第２の複数のサンプルを第２の複数のトランスフォーム係数に変換するサブステップと、
（ｉｉｉ）該第２の複数のトランスフォーム係数に逆トランスフォームを行って第２の複数の映像サブセットを形成するサブステップと、
（ｉｖ）該第２の複数の映像サブセットをリインターリーブして該映像を形成するサブステップと、を含み、
前記ステップｂ）（ｉｉ）は、
（１）該第２の複数のサンプルに逆走査を行なって複数の差値を形成するステップと、
（２）該複数の差値を複数の予測値に加算して複数の量子化値を形成するステップと、
（３）該複数の量子化値にＤＣおよびＡＣ係数予測を行って該複数の予測値を形成するステップと、
（４）該複数の量子化値に逆量子化を行って該第２の複数のトランスフォーム係数を形成するステップと、を含む方法。
【請求項５】
映像を圧縮および復元する方法であって、
ａ）該映像を圧縮するステップ、および
ｂ）該映像を復元するステップ、を含み、
前記ステップａ）は、
（ｉ）該映像をデインターリーブして第１の複数の映像サブセットを形成するサブステップと、
（ｉｉ）該第１の複数の映像サブセットを第１の複数のトランスフォーム係数にトランスフォームするサブステップと、
（ｉｉｉ）該第１の複数のトランスフォーム係数を第１の複数のサンプルに変換するサブステップと、
（ｉｖ）該第１の複数のサンプルにエントロピー符号化を行って、符号化されたビットストリームを形成するサブステップと、を含み、
前記ステップｂ）は、
（ｉ）該符号化されたビットストリームのエントロピー復号化を行って第２の複数のサンプルを形成するサブステップと、
（ｉｉ）該第２の複数のサンプルを第２の複数のトランスフォーム係数に変換するサブステップと、
（ｉｉｉ）該第２の複数のトランスフォーム係数に逆トランスフォームを行って第２の複数の映像サブセットを形成するサブステップと、
（ｉｖ）該第２の複数の映像サブセットをリインターリーブして該映像を形成するサブステップと、を含み、
前記ステップａ）（ｉ）は、
（１）該映像をデインターリーブする前に第１の複数のセグメントに分割するステップと、
（２）該第１の複数のセグメントのうちデインターリーブに値するセグメントを特定するステップと、
（３）該ステップａ）（ｉｉ）でデインターリーブに値すると特定されたセグメントだけをデインターリーブするステップと、を含む方法。
【請求項６】
請求項５に記載の方法において、前記ステップｂ）（ｉｖ）のリインターリーブするステップはさらに、
（１）該第２の複数の映像サブセットをリインターリーブして第２の複数のセグメントを形成するステップと、
（２）前記ステップｂ）（ｉｖ）のリインターリーブするステップで形成された該第２の複数のセグメントを映像に組み立てるステップと、を含む方法。
【請求項７】
映像をコード化する方法であって、
ａ）該映像を複数の局部領域に分割するステップと、
ｂ）該複数の局部領域をデインターリーブして複数のデインターリーブされた領域を形成するステップと、
ｃ）該複数のデインターリーブされた領域を複数のトランスフォーム係数にトランスフォームするステップと、
ｄ）該複数のトランスフォーム係数を複数のサンプルに変換するステップと、
ｅ）該複数のサンプルのエントロピー符号化を行って、符号化されたビットストリームを形成するステップと、を含み、
前記ステップｄ）は、
（ｉ）該複数のトランスフォーム係数を量子化して、複数の量子化値を形成するステップと、
（ｉｉ）該複数の量子化値にＤＣおよびＡＣ係数予測を行って複数の予測値を形成するステップと、
（ｉｉｉ）該複数の予測値と該複数の量子化値との差を求めて、複数の差値を形成するステップと、
（ｉｖ）該複数の差値を走査して該複数のサンプルを形成するステップと、を含む方法。
【請求項８】
映像をコード化する方法であって、
ａ）該映像を複数の局部領域に分割するステップと、
ｂ）該複数の局部領域をデインターリーブして複数のデインターリーブされた領域を形成するステップと、
ｃ）該複数のデインターリーブされた領域を複数のトランスフォーム係数にトランスフォームするステップと、
ｄ）該複数のトランスフォーム係数を複数のサンプルに変換するステップと、
ｅ）該複数のサンプルのエントロピー符号化を行って、符号化されたビットストリームを形成するステップと、を含み、
前記ステップｂ）は、
（ｉ）前記ステップａ）の複数の局部領域に分割するステップによって形成された該局部領域をさらに分割するステップと、
（ｉｉ）該複数の局部領域セグメントのうちデインターリーブに値するセグメントを特定するステップと、
（ｉｉｉ）前記ステップｂ）（ｉｉ）でデインターリーブに値すると特定されたセグメントだけをデインターリーブするステップと、を含む方法。
【請求項９】
符号化された映像を表すビットストリームを復号する方法であって、
ａ）該ビットストリームのエントロピー復号化を行なって複数のサンプルを形成するステップと、
ｂ）該複数のサンプルを複数のトランスフォーム係数に変換するステップと、
ｃ）該複数のトランスフォーム係数に逆トランスフォームを行なって複数のデインターリーブされた領域を形成するステップと、
ｄ）該複数のデインターリーブされた領域をリインターリーブして複数の局部領域を形成するステップと、
ｅ）該複数の局部領域を組み立てて該映像を形成するステップと、を含み、
前記ステップｂ）は、
（ｉ）該複数のサンプルに逆走査を行なって複数の差値を形成するステップと、
（ｉｉ）該複数の差値を複数の予測値に加算して複数の量子化値を形成するステップと、
（ｉｉｉ）該複数の量子化値にＤＣおよびＡＣ係数予測を行なって複数の予測値を形成するステップと、
（ｉｖ）該複数の量子化値に逆量子化を行なって、第１の量子化レベルを用いて複数のトランスフォームされたベクトルを形成するステップと、を含む方法。
【請求項１０】
映像を圧縮および復元する方法であって、
ａ）該映像を圧縮するステップ、および
ｂ）該映像を復元するステップ、を含み、
前記ステップａ）は、
（ｉ）該映像を第１の複数の局部領域に分割するサブステップと、
（ｉｉ）該第１の複数の局部領域をデインターリーブして第１の複数のデインターリーブされた領域を形成するサブステップと、
（ｉｉｉ）該第１の複数のデインターリーブされた領域を第１の複数のトランスフォーム係数に変換するサブステップと、
（ｉｖ）該第１の複数のトランスフォーム係数を第１の複数のサンプルに変換するサブステップと、
（ｖ）該第１の複数のサンプルのエントロピー符号化を行って、符号化されたビットストリームを形成するサブステップと、を含み、
前記ステップｂ）は、
（ｉ）該符号化されたビットストリームのエントロピー復号化を行って第２の複数のサンプルを形成するサブステップと、
（ｉｉ）該第２の複数のサンプルを第２の複数のトランスフォーム係数に変換するサブステップと、
（ｉｉｉ）該第２の複数のトランスフォーム係数に逆トランスフォームを行なって第２の複数のデインターリーブされた領域を形成するサブステップと、
（ｉｖ）該第２の複数のデインターリーブされた領域の各領域をリインターリーブして、第２の複数の局部領域を形成するサブステップと、
（ｖ）該第２の複数の局部領域を組み立てて該映像を形成するサブステップと、を含み、
前記ステップｂ）（ｉｉ）は、
（１）該第２の複数のサンプルに逆走査を行なって複数の差値を形成するステップと、
（２）該複数の差値を該複数の予測値に加算して複数の量子化値を形成するステップと、
（３）該複数の量子化値にＤＣおよびＡＣ係数予測を行って該複数の予測値を形成するステップと、
（４）該複数の量子化値に逆量子化を行って該第２の複数のトランスフォーム係数を形成するステップと、を含む方法。
【請求項１１】
映像をコード化する装置であって、
ａ）映像を受け取って該映像をデインターリーブして複数の映像サブセットを形成するデインターリーバ、
ｂ）該デインターリーバに連結されて該複数の映像サブセットを複数のトランスフォーム係数にトランスフォームするトランスフォーム器、
ｃ）該トランスフォーム器に連結されて該複数のトランスフォーム係数を複数のサンプルに変換するコンバータ、および、
ｄ）該コンバータに連結されて該複数のサンプルのエントロピー符号化を行ない、符号化されたビットストリームを形成するエンコーダ、を含み、
前記コンバータは、
ｅ）該トランスフォーム器に連結されて、該複数のトランスフォーム係数を量子化して複数の量子化値を形成するクゥアンタイザと、
ｆ）該クゥアンタイザに連結されて、該複数の量子化値にＤＣおよびＡＣ係数予測を行って、複数の予測値を形成する係数予測器と、
ｇ）該クゥアンタイザおよび該係数予測器に連結されて、該複数の予測値と該複数の量子化値との差を求めて、複数の差値を形成する比較器と、
ｈ）該比較器に連結されて、該複数の差値を走査して該複数のサンプルを形成するスキャナと、を有する拡張クゥアンタイザを含む装置。
【請求項１２】
映像をコード化する装置であって、
ａ）映像を受け取って該映像をデインターリーブして複数の映像サブセットを形成するデインターリーバ、
ｂ）該デインターリーバに連結されて該複数の映像サブセットを複数のトランスフォーム係数にトランスフォームするトランスフォーム器、
ｃ）該トランスフォーム器に連結されて該複数のトランスフォーム係数を複数のサンプルに変換するコンバータ、および
ｄ）該コンバータに連結されて該複数のサンプルのエントロピー符号化を行ない、符号化されたビットストリームを形成するエンコーダ、を含み、
前記コンバータは、
ｅ）該映像を受け取って、該デインターリーバに連結された出力を有し、該映像を複数のセグメントに分割し、かつ該複数のセグメントのうちデインターリーブに値するセグメントを特定するグローバルクァドツリー・セグメンタを含み、デインターリーバは、該グローバルクァドツリー・セグメンタによってデインターリーブに値すると特定されたセグメントだけをデインターリーブする装置。
【請求項１３】
符号化された映像を表すビットストリームを復号する装置であって、
ａ）該ビットストリームを受けとって該ビットストリームにエントロピー復号化を行い、複数のサンプルを形成するデコーダ、
ｂ）該デコーダに連結されて該複数のサンプルを複数のトランスフォーム係数に変換するコンバータ、
ｃ）該コンバータに連結されて該複数のトランスフォーム係数に逆トランスフォームを行ない複数の映像サブセットを形成する逆トランスフォーム器、
ｄ）該逆トランスフォーム器に連結されて該複数の局部領域サブセットのリインターリーブを行ない該映像を形成するリインターリーバ、
ｅ）該デコーダに連結されて該複数のサンプルに逆走査を行い複数の差値を形成する逆スキャナ、
ｆ）該逆スキャナに連結された第１の入力と、第２の入力と、複数の量子化値を出力する出力とを有する加算器、
ｇ）該加算器の出力に連結された入力を有し、該複数の量子化値にＤＣおよびＡＣ係数予測を行って複数の予測値を形成し、かつ該加算器の第２の入力に連結された出力を有する係数予測器であって、該複数の量子化値は該複数の差値と該複数の予測値との和に等しい係数予測器、および
ｈ）該加算器に連結されて該複数の量子化値に逆量子化を行い複数のトランスフォーム係数を生成する逆クゥアンタイザ、を含む装置。
【請求項１４】
映像を圧縮および復元する装置であって、
ａ）映像を受け取って該映像をデインターリーブし、第１の複数の映像サブセットを形成するデインターリーバ、
ｂ）該デインターリーバに連結されて該第１の複数の映像サブセットを第１の複数のトランスフォーム係数にトランスフォームするトランスフォーム器、
ｃ）該トランスフォーム器に連結されて該第１の複数のトランスフォーム係数を第１の複数のサンプルに変換する第１のコンバータ、
ｄ）該コンバータに連結されて該第１の複数のサンプルにエントロピー符号化を行ない、符号化されたビットストリームを形成するエンコーダ、
ｅ）該符号化されたビットストリームを受け取って該符号化されたビットストリームのエントロピー復号化を行い第２の複数のサンプルを形成するデコーダ、
ｆ）該デコーダに連結されて該第２の複数のサンプルを第２の複数のトランスフォーム係数に変換する第２のコンバータ、
ｇ）該第２のコンバータに連結されて該第２の複数のトランスフォーム係数に逆トランスフォームを行い第２の複数の画像サブセットを形成する逆トランスフォーム器、および
ｈ）該逆トランスフォーム器に連結されて該第２の複数の画像サブセットをリインターリーブして該映像を形成するリインターリーバを含み、
前記第２のコンバータは、
ｉ）該デコーダに連結されて該第２の複数のサンプルに逆走査を行い複数の差値を形成する逆スキャナと、
ｊ）該逆スキャナに連結される第１の入力と、第２の入力と、複数の量子化値を出力する出力とを有する加算器と、
ｋ）該加算器の出力に連結された入力を有し、該複数の量子化値にＤＣおよびＡＣ係数予測を行って複数の予測値を形成し、かつ該加算器の第２の入力に連結された出力を有する係数予測器であって、該複数の量子化値は該複数の差値と該複数の予測された値との和に等しい係数予測器と、
ｌ）該加算器に連結され該複数の量子化値に逆量子化を行って該第２の複数のトランスフォーム係数を形成する逆クゥアンタイザと、を有する逆拡張クゥアンタイザを含む装置。
【請求項１５】
映像を圧縮および復元する装置であって、
ａ）映像を受け取って該映像をデインターリーブして第１の複数の映像サブセットを形成するデインターリーバ、
ｂ）該デインターリーバに連結されて該第１の複数の映像サブセットを第１の複数のトランスフォーム係数にトランスフォームするトランスフォーム器、
ｃ）該トランスフォーム器に連結されて該第１の複数のトランスフォーム係数を第１の複数のサンプルにトランスフォームする第１のコンバータ、
ｄ）該コンバータに連結されて該第１の複数のサンプルにエントロピー符号化を行って、符号化されたビットストリームを形成するエンコーダ、
ｅ）該符号化されたビットストリームを受け取って該符号化されたビットストリームのエントロピー復号化を行い第２の複数のサンプルを形成するデコーダ、
ｆ）該デコーダに連結されて該第２の複数のサンプルを第２の複数のトランスフォーム係数に変換する第２のコンバータ、
ｇ）該第２のコンバータに連結されて該第２の複数のトランスフォーム係数に逆トランスフォームを行い、第２の複数の映像サブセットを形成する逆トランスフォーム器、
ｈ）該逆トランスフォーム器に連結されて該第２の複数の映像サブセットをリインターリーブして該映像を形成するリインターリーバ、および
ｉ）該映像を受け取り、該デインターリーバに連結された出力を有し、該映像を複数のセグメントに分割し、かつ該複数のセグメントのうちデインターリーブに値するセグメントを特定するグローバルクゥアドツリー・セグメンタであって、該デインターリーバは該グローバルクゥアドツリー・セグメンタによってデインターリーブに値すると特定されたセグメントだけをデインターリーブするセグメンタ、を含む装置。
【請求項１６】
映像を圧縮および復元する装置であって、
ａ）映像を受け取って該映像をデインターリーブして第１の複数の映像サブセットを形成するデインターリーバ、
ｂ）該デインターリーバに連結されて該第１の複数の映像サブセットを第１の複数のトランスフォーム係数にトランスフォームするトランスフォーム器、
ｃ）該トランスフォーム器に連結されて該第１の複数のトランスフォーム係数を第１の複数のサンプルにトランスフォームする第１のコンバータ、
ｄ）該コンバータに連結されて該第１の複数のサンプルのエントロピー符号化を行い、符号化されたビットストリームを形成するエンコーダ、
ｅ）該符号化されたビットストリームを受け取って該符号化されたビットストリームのエントロピー復号化を行い第２の複数のサンプルを形成するデコーダ、
ｆ）該デコーダに連結されて該第２の複数のサンプルを第２の複数のトランスフォーム係数に変換する第２のコンバータ、
ｇ）該第２のコンバータに連結されて該第２の複数のトランスフォーム係数に逆トランスフォームを行い、第２の複数の映像サブセットを形成する逆トランスフォーム器、
ｈ）該逆トランスフォーム器に連結されて該第２の複数の映像サブセットをリインターリーブして該映像を形成するリインターリーバ、および
ｉ）該リデインターリーバに連結されたグローバルクゥアドツリー・アセンブラであって、該リインターリーバは該複数の映像サブセットをリインターリーブして複数のセグメントを形成し、該グローバルクゥアドツリー・アセンブラは該リインターリーバによって形成された該複数のセグメントを該映像に組み立てるアセンブラ、を含む装置。
【請求項１７】
映像をコード化するシステムであって、
ａ）映像を受け取って該映像を複数の局部領域に分割するセグメンタ、
ｂ）該セグメンタに連結されて該複数の局部領域をデインターリーブし複数の局部領域サブセットを形成するデインターリーバ、
ｃ）該デインターリーバに連結されて該複数の局部領域サブセットを複数のトランスフォーム係数にトランスフォームするトランスフォーム器、
ｄ）該トランスフォーム器に連結されて該複数のトランスフォーム係数を複数のサンプルに変換するコンバータ、および
ｅ）該コンバータに連結されて該複数のサンプルにエントロピー符号化を行い符号化されたビットストリームを形成するエンコーダ、を含み、
該コンバータは、
ｆ）該トランスフォーム器に連結されて該複数のトランスフォーム係数を量子化して複数の量子化値を形成するクゥアンタイザと、
ｇ）該クゥアンタイザに連結されて該複数の量子化値にＤＣおよびＡＣ係数予測を行って複数の予測値を形成する係数予測器と、
ｈ）該クゥアンタイザおよび該係数予測器に連結されて該複数の予測値と該複数の量子化値との差を求めて複数の差値を形成する比較器と、
ｉ）該比較器に連結されて該複数の差値を走査して該複数のサンプルを形成するスキャナと、を有する拡張クゥアンタイザを含むシステム。
【請求項１８】
映像をコード化するシステムであって、
ａ）映像を受け取って該映像を複数の局部領域に分割するセグメンタ、
ｂ）該セグメンタに連結されて該複数の局部領域をデインターリーブし複数の局部領域サブセットを形成するデインターリーバ、
ｃ）該デインターリーバに連結されて該複数の局部領域サブセットを複数のトランスフォーム係数にトランスフォームするトランスフォーム器、
ｄ）該トランスフォーム器に連結されて該複数のトランスフォーム係数を複数のサンプルに変換するコンバータ、
ｅ）該コンバータに連結されて該複数のサンプルにエントロピー符号化を行い、符号化されたビットストリームを形成するエンコーダ、および
ｆ）該セグメンタに連結され、該デインターリーバに連結された出力を有し、該複数の局部領域を複数の局部領域セグメントに分割し、かつ該複数の局部領域セグメントのうちデインターリーブに値するセグメントを特定する局部クゥアドツリー・セグメンタであって、該デインターリーバは該局部クゥアドツリー・セグメンタによってデインターリーブに値すると特定された局部セグメントだけをデインターリーブするセグメンタ、を含むシステム。
【請求項１９】
符号化された映像を表すビットストリームを復号するシステムであって、
ａ）該ビットストリームを受け取って該ビットストリームのエントロピー復号化を行ない複数のサンプルを形成するデコーダ、
ｂ）該デコーダに連結されて該複数のサンプルを複数のトランスフォーム係数に変換するコンバータ、
ｃ）該コンバータに連結されて該複数のトランスフォーム係数に逆トランスフォームを行い複数の局部領域サブセットを形成する逆トランスフォーム器、
ｄ）該逆トランスフォーム器に連結されて該複数の局部領域サブセットのリインターリーブを行い複数の局部領域を形成するリインターリーバ、および
ｅ）該リインターリーバに連結されて該複数の局部領域を組み立てて該映像を形成するアセンブラ、を含み、
前記コンバータは、
ｆ）該デコーダに連結されて該複数のサンプルに逆走査を行って複数の差値を形成する逆スキャナと、
ｇ）該逆スキャナに連結された第１の入力と、第２の入力と、複数の量子化値を出力する出力とを有する加算器と、
ｈ）該加算器の出力に連結され、該複数の量子化値にＤＣおよびＡＣ計数予測を行って複数の予測値を形成し、かつ該加算器の第２の入力に連結される出力を有する係数予測器であって、該複数の量子化値は該複数の差値と該複数の予測値との和に等しい係数予測器と、
ｉ）該加算器に連結されて該複数の量子化値に逆量子化を行って該複数のトランスフォーム係数を形成する逆クゥアンタイザと、を有する逆拡張クゥアンタイザを含むシステム。
【請求項２０】
映像を圧縮および復元するシステムであって、
ａ）映像を受け取って該映像を第１の複数の局部領域に分割するセグメンタ、
ｂ）該セグメンタに連結されて該第１の複数の局部領域をデインターリーブし第１の複数の局部領域サブセットを形成するデインターリーバ、
ｃ）該デインターリーバに連結されて該第１の複数の局部領域サブセットを第１の複数のトランスフォーム係数にトランスフォームするトランスフォーム器、
ｄ）該トランスフォーム器に連結されて該第１の複数のトランスフォーム係数を第１の複数のサンプルに変換する第１のコンバータ、
ｅ）該コンバータに連結されて該第１の複数のサンプルにエントロピー符号化を行い、符号化されたビットストリームを形成するエンコーダ、
ｆ）該符号化されたビットストリームを受け取って該符号化されたビットストリームのエントロピー復号化を行ない第２の複数のサンプルを形成するデコーダ、
ｇ）該デコーダに連結されて該第２の複数のサンプルを第２の複数のトランスフォーム係数に変換する第２のコンバータ、
ｈ）該第２のコンバータに連結されて該第２の複数のトランスフォーム係数に逆トランスフォームを行い第２の複数の局部領域サブセットを形成する逆トランスフォーム器、
ｉ）該逆トランスフォーム器に連結されて該第２の複数の局部領域サブセットのリインターリーブを行い第２の複数の局部領域を形成するリインターリーバ、
ｊ）該リインターリーバに連結されて該第２の複数の局部領域を組み立てて該映像を形成するアセンブラ、および
ｋ）該セグメンタに連結され、該デインターリーバに連結された出力を有し、該第１の複数の局部領域を第１の複数の局部領域セグメントに分割し、かつ該第１の複数の局部領域セグメントのうちでデインターリーブに値するセグメントを特定する局部クゥアドツリー・セグメンタであって、該デインターリーバは該局部クゥアドツリー・セグメンタによってデインターリーブに値すると特定された局部セグメントだけをデインターリーブするセグメンタ、を含むシステム。